(57)【特許請求の範囲】
【請求項１】
２つの戸体のそれぞれの一端側を折り曲げ自在に連結固定すると共に、これら２つの戸体の内の少なくとも１つの戸体の他端側を戸枠の開口部内で水平方向にスライド自在に設けられている柱部材に蝶番によって回転自在に連結されているスライド式折戸であって、
前記２つの戸体の一端側折り曲げ方向側と同じ側の戸体の他端側から前記柱部材の表面と重なるように突出した第１の突出片を設けており、
前記戸体が２枚の周枠体とこの２枚の周枠体に挟まれる面材を具備し、
前記２つの戸体の一端側の折り曲げ方向側に位置する一方の周枠体の他端側に前記第１の突出片が設けられていることを特徴とするスライド式折戸。
【請求項２】
前記２つの戸体の一端側折り曲げ方向側に位置する一方の周枠体の上下端に、前記戸枠の開口部内で、相対向するようにして突設された上下一対のガイドレールの表面と対面するように突出した第２の突出片を設けていることを特徴とする請求項１に記載のスライド式折戸。
【請求項３】
前記２つの戸体の内のいずれか一方の戸体の一端側から他方の戸体の一端側表面に突出した重なり片を具備することを特徴とする請求項１又は２に記載のスライド式折戸。
【請求項４】
前記戸枠の開口部内に相対向するようにして突設された前記一対のガイドレールより前記２つの戸体の一端側折り曲げ方向側に、
他のスライド式折戸を案内するための他の上下一対のガイドレールが、相対向するように突設され、
前記一対の戸体の高さ寸法が、前記他の一対のガイドレールの間隔より小さく形成されていることを特徴とする請求項２又は３に記載のスライド式折戸。
【請求項５】
２つの戸体のそれぞれの一端側を折り曲げ自在に連結固定すると共に、これら２つの戸体の内の少なくとも１つの戸体の他端側を戸枠の開口部内で水平方向にスライド自在に設けられている柱部材に蝶番によって回転自在に連結されているスライド式折戸であって、
前記２つの戸体の一端側折り曲げ方向側と同じ側の戸体の他端側から前記柱部材の表面と重なるように突出した第１の突出片を設けており、
前記戸体が２枚の周枠体とこの２枚の周枠体に挟まれる面材を具備し、
前記２つの戸体の一端側折り曲げ方向側に位置する一方の周枠体の上下端に、前記戸枠の開口部内で、相対向するようにして突設された上下一対のガイドレールの表面と対面するように突出した第２の突出片を設けていることを特徴とするスライド式折戸。
【発明の詳細な説明】
【技術分野】
【０００１】
本発明は、戸や窓等に利用可能な風雨の侵入を防止するための構造を有するスライド式折戸に関するものである。
【背景技術】
【０００２】
折戸は、開けたときの戸の収納スペースが開き戸に比べて小さくてすみ、開口部が大きく取れるので、浴室やクローゼットの開口部、部屋の可動間仕切り等に多く利用されてきている。また、近年では、バルコニ等の外部空間と建物内のリビングルーム等の室内空間との仕切りとしても折戸が利用されている。
【０００３】
従来からの折戸の構造としては、戸体が、回転軸を介して戸枠の上下に設けられたガイドレールに取り付けられ、前記回転軸がガイドレールに沿ってスライドし、対向する戸体の先端部を蝶番等で連結することにより、戸体が折り畳み開閉可能な構造を持つ折戸が知られている。
【０００４】
しかしながら、これらの折戸は、戸体の回転をスムーズに行うために、前記戸体の上下端と戸枠の上下枠との間に若干の隙間が設けられており、そのため、折戸の閉鎖時においても前記戸パネルと前記上下枠の間に隙間が生じ、外部空間と室内空間の仕切りとして設置する場合や窓等に利用する場合には、前記隙間から隙間風や雨等が侵入してくることがある。
【０００５】
これらの問題を解決するために、戸枠の下枠に閉鎖版を収納するための溝を形成し、前記閉鎖版の上部及び戸体の下部にそれぞれ異極の磁石を備えることにより、折戸の閉鎖時には、磁力により閉鎖版が戸パネルの下部と接着し、戸体と下枠の間に生じる隙間を閉鎖することで、隙間風等を防止する構造がある（例えば、特許文献１参照）。
【特許文献１】特開平１０−１０２９３８号公報
【発明の開示】
【発明が解決しようとする課題】
【０００６】
しかしながら、特許文献１に示す折戸の構造では、戸体と下枠との隙間からの隙間風等を防止することは実現されているが、戸体と上枠との隙間からの隙間風等を防止することがなされていない。また、戸枠の下枠に閉鎖板を収納するための溝を形成する必要などが生じるため、戸枠の構造が複雑になってしまう問題がある。
【０００７】
また、特許文献１に示すような折戸では、蝶番等で連結された対向する戸体の一端側やガイドレールに沿ってスライド可能な回転軸と戸体の間に生じる隙間を防ぐ手段は成されていないため、これらの隙間からも隙間風や雨等が侵入する場合が生じる。
【０００８】
本発明は、これらの点に鑑みてなされたものであり、折戸の閉鎖時における戸体と上下枠及び回転軸の隙間から侵入する隙間風や雨等を防止すること及び対向する戸体の一端側の隙間から侵入する隙間風や雨等を防止する構造をもつスライド式折戸を提供することを目的とする。
【課題を解決するための手段】
【０００９】
上記の目的を達成するために、２つの戸体のそれぞれの一端側を折り曲げ自在に連結固定すると共に、これら２つの戸体の内の少なくとも１つの戸体の他端側を戸枠の開口部内で水平方向にスライド自在に設けられている柱部材に蝶番によって回転自在に連結されているスライド式折戸であって、前記２つの戸体の一端側折り曲げ方向側と同じ側の戸体の他端側から前記柱部材の表面と重なるように突出した第１の突出片を設けており、前記戸体が２枚の周枠体とこの２枚の周枠体に挟まれる面材を具備し、前記２つの戸体の一端側の折り曲げ方向側に位置する一方の周枠体の他端側に前記第１の突出片が設けられていることを特徴としている。
【００１０】
また、前記２つの戸体の一端側折り曲げ方向側に位置する一方の周枠体の上下端に、前記戸枠の開口部内で、相対向するようにして突設された上下一対のガイドレールの表面と対面するように突出した第２の突出片を設けていることを特徴としている。
【００１１】
更に、前記２つの戸体の内のいずれか一方の戸体の一端側から他方の戸体の一端側表面に突出した重なり片を具備することを特徴としている。
【００１２】
また、前記戸枠の開口部内に相対向するようにして突設された前記一対のガイドレールより前記２つの戸体の一端側折り曲げ方向側に、他のスライド式折戸を案内するための他の上下一対のガイドレールが、相対向するように突設され、前記一対の戸体の高さ寸法が、前記他の一対のガイドレールの間隔より小さく形成されたことを特徴としている。
【発明の効果】
【００１３】
請求項１に記載の折戸によれば、前記２つの戸体の一端側折り曲げ方向側と同じ側の戸体の他端側から前記柱部材の表面と重なるように突出した第１の突出片を設けていることによって、前記柱部材と前記２つの戸体の隙間を防ぐことができるので、風雨等の侵入を防止することが可能となる。更に、折戸の折り曲げ時においても、前記第１の突出片によって、前記柱部材との間に生じる隙間を小さくすることができるので、風雨等の侵入を軽減することが可能となる。また、戸枠に特別な加工を施す必要がないので、構造が簡易であり、生産コストも削減することができる。更に、前記戸体が２枚の周枠体を具備し、前記２つの戸体の一端側の折り曲げ方向側に位置する一方の周枠体の他端側に前記第１の突出片が設けられていることにより、上記と同様の効果を得ることができる。
【００１５】
また、前記２つの戸体の一端側折り曲げ方向側に位置する一方の周枠体の上下端に、前記戸枠の開口部内で、相対向するようにして突設された上下一対のガイドレールの表面と対面するように突出した第２の突出片を設けることによって、折戸の閉鎖時において、前記第２の突出片が前記戸体と戸枠の上下枠に形成される隙間を小さくすると共に、該隙間から侵入する風雨等を前記一対のガイドレールにより、防止することができる。また、構造が簡易であるので、折戸の折り曲げ開閉等の動作性を損なうことなく形成することができる。
【００１６】
更に、前記２つの戸体の内のいずれか一方の戸体の一端側から他方の戸体一端表面に突出した重なり片を備えることにより、前記２つの戸体の一端側に生じる隙間からの風雨等の侵入を防止することが可能となる。
【００１７】
また、前記戸枠の開口内部に相対向するようにして突設された前記一対のガイドレールより前記２つの戸体の一端側折り曲げ方向側に、他のスライド式折戸を案内するための他の上下一対のガイドレールが、相対向するように突設され、前記一対の戸体の高さ寸法が、前記他の一対のガイドレールの間隔より小さく形成されることにより、前記２つの戸体が、一端側折り曲げ方向側にある前記他の一対のガイドレールに接触しないので、同一方向側に折り曲げが可能なスライド式折戸を前記一対のガイドレールと前記他の一対のガイドレールに平行して形成することができ、より広い開口部を得ることが可能となる。また、前記のように平行してスライド式折戸を設けることで、折戸の役割だけでなく、折戸を折り畳まずにスライドすることによっても、開口部を得ることができるので、開閉のためのスペースを必要としない引き戸としての利用も可能となる。
【発明を実施するための最良の形態】
【００１８】
以下に本発明における実施の形態について図面に基づいて説明する。図１は、本発明の実施の形態に係る折戸１の構成を折り曲げ方向側（折戸が折り畳まれる際に折戸が凸に張り出す側）から見た場合の正面図であり、図２は図１における背面図、図３は図１における平面図をそれぞれ示している。ここでは、窓の構成を例に説明するが、本発明は、窓の構成のみに限定されるものではなく、戸の構成等にも当然に利用可能である。
【００１９】
図１及び図２に示すように、本発明における折戸１では、２つの戸体２、３が、それぞれ対向する一端側の折り曲げ方向の反対側で蝶番４を介して折り曲げ可能に連結されており、前記２つの戸体２，３の他端側の折り曲げ方向側には、それぞれ柱部材５が蝶番６を介して連結されている。ここでは、図３に示すように、蝶番６の補助部材として、該蝶番６と前記柱部材５の間に当て板７を設けているが、前記柱部材５を前記当て板７が設けられているような形状に加工しても良い。
【００２０】
また、前記戸体３の一端側の折り曲げ方向側には、前記戸体２の一端側表面に突出するように重なり片８が設けられており、該重なり片８により、前記２つの戸体２，３の対向する一端側に生じる隙間から風雨等が侵入するのを防止することが可能となる。尚、前記重なり片８は、前記戸体２，３のいずれか一方に備えていれば良い。
【００２１】
また、図１〜図３に示すように前記戸体２，３はそれぞれ２枚の周枠体９，１０及び該周枠体９，１０に挟まれ支持されている面材としてのガラス板１１を備えている。前記周枠体９は、図３に示すように前記２つの戸体２，３の対向する一端側折り曲げ方向側に位置し、前記周枠体１０は、前記折り曲げ方向の反対側に位置しており、前記周枠体９の他端側には、前記柱部材５の折り畳み方向側表面と重なるように突出した突出片１２が設けられている。これにより、前記戸体２，３の前記他端側と前記柱部材５の隙間を防ぐことができるので、該隙間から侵入する風雨等を防止することが可能となる。
【００２２】
図４は、戸枠１３内に、前記折戸１及び他の折戸１ａを備えている場合の折り曲げ方向側から見た正面図である。図５は、図４におけるA−A線断面図、図６は、図４におけるB−B線断面図をそれぞれ示している。
【００２３】
図６に示すように、前記戸枠１３の開口部内に、相対向するようにして突設された上下一対のガイドレール１５，１６に沿ってスライド可能なように前記折戸１が配置され、前記上下一対のガイドレール１５，１６より折り曲げ方向側には、他の上下一対のガイドレール１５ａ，１６ａに沿ってスライド可能なように前記折戸１ａが配置されている。
【００２４】
前記折戸１ａは、図４及び図６に示すように前記折戸１の２つの戸体２，３より上下方向に長い他の２つの戸体２ａ，３ａと、前記折戸１の柱部材５より上下方向に長い他の柱部材５ａを有しており、前記戸体２ａ，３ａは周枠体９ａ，１０ａ及び該周枠体９ａ，１０ａに挟まれ支持されている面材としてのガラス板１１ａを備えている。また、前記折戸１ａは、前記折戸１の蝶番６と前記柱部材５の間に設けられている当て板７よりも上下方向に長い他の当て板７ａを前記折戸１ａにおける蝶番６と前記柱部材５ａの間に設けており、前記折戸１ａにおける前記戸体３ａの一端側の折り曲げ方向側には、前記戸体２ａ、３ａの高さ寸法と略同一の重なり片８ａが、前記戸体２ａの一端側表面に突出するように設けられている。
【００２５】
また、図６に示すように前記折戸１における柱部材５の上端部及び下端部には、前記戸枠１３の前記上ガイドレール１５及び前記下ガイドレール１６に沿ってスライド可能なように上戸車１７及び下戸車１８がそれぞれ設けられている。ここでは、前記柱部材５の下端部に前記下戸車１８が、前記下ガイドレール１６に沿ってスライド方向に回転するように取り付けられており、前記上戸車１７は、前記柱部材５の左右へのブレ防止等の役割をしているが、前記上戸車１７を取り外して、前記柱部材５の上端に前記上ガイドレール１５に沿った溝を形成しただけの柱部材５としても良い。また、前記折戸１ａの前記柱部材５ａに関しても同様の構成としている。尚、前記柱部材５及び５ａは、上記構成に限定されるものではない。
【００２６】
図７は、図４におけるC−C線断面図である。図７に示すように前記戸体２は、一端側折り曲げ方向側に位置する前記周枠体９の上下端に、前記上下ガイドレール１５，１６の表面に対面するように突出した突出片１９を設けている。尚、前記戸体３及び前記折戸１ａの前記戸体２ａ，３ａに関しても同様の構造を備えている。これにより、前記２つの戸体２，３と前記上下ガイドレール１５，１６の間に生じる隙間からの風雨等の侵入を防止することが可能となる。
【００２７】
また、図７に示すように前記戸枠１３の前記上ガイドレール１５及び前記下ガイドレール１６より前記２つの戸体２，３の一端側折り曲げ方向側に、前記他の折戸１ａを案内するための前記上ガイドレール１５ａ及び前記下ガイドレール１６ａが、相対向するように突設されており、図４及び図７に示すように前記２つの戸体２，３の高さ寸法が、前記上下ガイドレール１５ａ，１６ａの間隔よりも小さく形成されて設けられている。これにより、前記折戸１は、折り曲げ方向側に設けられている前記上下ガイドレール１５ａ，１６ａと折り曲げ時においても接触することがない。したがって、図５における各折戸１，１ａの折り曲げ時を示す図８のように、前記折戸１は折り曲げ方向側に設けられている前記上下ガイドレールＣ、Ｄと接触することなく、折り曲げ開放することが可能となる。更に図９及び図１０に示すように前記折戸１及び前記折戸１ａの完全折り曲げ時においては、広い開口部を形成することが可能となる。
【００２８】
更に、図１１及び図１２に示すように前記折戸１，１ａは折り曲げずにそれぞれの柱部材５，５ａが上下ガイドレール１５，１６，１５ａ，１６ａに沿ってスライド移動することができるので、開閉のためのスペースを必要としない引き戸としての機能を果たすことも可能である。
【００２９】
また、図１３及び図１４に示すように戸枠１３内に設けられている２組の上下一対のガイドレール１５，１６及び１５ａ，１６ａにそれぞれ複数の折戸１、１ａ（図面では、それぞれ２つの折戸）を備えて、使用することも可能であり、スペース等に応じて、折戸の数を調整することができる。
【００３０】
図１５は、折戸の折り曲げ方向側が互い違いな場合の折戸の構成を示す図であり、図１６は、図１５におけるD−D線断面図、図１７は図１５におけるE−E線断面図をそれぞれ示している。図１５に示すように戸枠１３ａ内の左側には、折り曲げ方向側が紙面手前逆方向になる折戸１ｂが備えられ、前記戸枠１３ａの右側には、折り曲げ方向側が紙面手前方向になる折戸１ｃが備えられている。
【００３１】
図１６及び図１７に示すように前記折戸１ｂ及び前記折戸１ｃは、前記戸枠１３ａの開口部内に相対向するように突設された２本の上下ガイドレールの内、それぞれの折り曲げ方向側に位置する上下ガイドレールにそれぞれ配置されており、前記折戸１ｂは、上下ガイドレール１５ｂ，１６ｂに沿ってスライド可能なように配置され、前記折戸１ｃは、上下ガイドレール１５ｃ，１６ｃに沿ってスライド可能なように配置されている。尚、ここでは、折戸１ｂ，１ｃは、同一形状の例を示しているが、図４に示すように上下ガイドレールの間隔を調整することにより、折戸の大きさを異なるものにすることも可能である。
【００３２】
また、図１７に示すように前記各折戸１ｂ，１ｃは、互いのスライドを案内する上下ガイドレールと重ならない側に折り曲げられるので、図１５における折り曲げ時のD−D線断面図を示す図１８のように互いの上下ガイドレールと接触することなく、折り曲げることが可能となる。更に、図１９に示す各折戸１ｂ，１ｃの完全折り曲げ時には、より広い開口部を形成することも可能となる。
【図面の簡単な説明】
【００３３】
【図１】本発明の実施の形態に係る折戸の構成の一例を示す正面図である。
【図２】図１における背面図である。
【図３】図１における平面図である。
【図４】戸枠内に図１における折戸と他の折戸を設けた構成を示す正面図である。
【図５】図４におけるA−A線断面図である。
【図６】図４におけるB−B線断面図である。
【図７】図４におけるC−C線断面図である。
【図８】図４における折り曲げ時を示すA−A線断面図である。
【図９】図４における完全折り曲げ時を示すA−A線断面図である。
【図１０】図４における他の完全折り曲げ時を示すA−A線断面図である。
【図１１】図４におけるスライド時の正面図である。
【図１２】図４におけるスライド時を示すＡ−Ａ線断面図である。
【図１３】戸枠内のガイドレールに複数の折戸を設けた構成を示す正面図である。
【図１４】図１３におけるスライド時を示す正面図である。
【図１５】折戸の折り曲げ方向側が互い違いな場合の折戸の構成を示す正面図である。
【図１６】図１５におけるD−D線断面図である。
【図１７】図１５におけるE−E線断面図である。
【図１８】図１５における折り曲げ時を示すD−D線断面図である。
【図１９】図１５における完全折り曲げ時を示すD−D線断面図である。
【符号の説明】
【００３４】
１            折戸
２、３        戸体
５            柱部材
６            蝶番
８            重なり片
９、１０      周枠体
１１          ガラス板
１２          突出片（第１の突出片）
１３          戸枠
１５、１５ａ  上ガイドレール
１６、１６ａ  下ガイドレール
１９          突出片（第２の突出片）
【図１】
0004984065.tif 000002
【図２】
0004984065.tif 000003
【図３】
0004984065.tif 000004
【図４】
0004984065.tif 000005
【図５】
0004984065.tif 000006
【図６】
0004984065.tif 000007
【図７】
0004984065.tif 000008
【図８】
0004984065.tif 000009
【図９】
0004984065.tif 000010
【図１０】
0004984065.tif 000011
【図１１】
0004984065.tif 000012
【図１２】
0004984065.tif 000013
【図１３】
0004984065.tif 000014
【図１４】
0004984065.tif 000015
【図１５】
0004984065.tif 000016
【図１６】
0004984065.tif 000017
【図１７】
0004984065.tif 000018
【図１８】
0004984065.tif 000019
【図１９】
0004984065.tif 000020